(57)【要約】【課題】遮光板の内部で光を拡散させることにより、ＬＥＤによる良好なセグメント表示を得ること。【解決手段】文字板の裏側にデジタル表示用ＬＥＤを配置するとともに、デジタル表示用ＬＥＤを点灯したときのみデジタル表示用ＬＥＤのデジタル表示を文字板を透して視認し得る光透過率で文字板を形成するＬＥＤ表示機能付き時計であって、デジタル表示用のＬＥＤ１７を配置した回路基板１６上の遮光板にデジタル表示用のＬＥＤ１７を封止するように光拡散部材４０を設ける。【選択図】        図１
2008309760.tif 000002
【特許請求の範囲】
【請求項１】
文字板の裏側にデジタル表示用ＬＥＤを配置するとともに、前記デジタル表示用ＬＥＤを点灯したときのみ前記デジタル表示用ＬＥＤのデジタル表示を前記文字板を透して視認し得る光透過率で前記文字板を形成するＬＥＤ表示機能付き時計であって、
前記デジタル表示用ＬＥＤを配置した回路基板上の遮光板に前記デジタル表示用ＬＥＤを封止するように光拡散部材を設けたことを特徴とするＬＥＤ表示機能付き時計。
【請求項２】
前記光拡散部材は、光拡散物質を含む樹脂で形成されることを特徴とする請求項１に記載のＬＥＤ表示機能付き時計。
【発明の詳細な説明】
【技術分野】
【０００１】
本発明は、腕時計など、ＬＥＤにより時刻、月日、曜日などをデジタル表示する機能を有するＬＥＤ表示機能付き時計に関するものである。
【背景技術】
【０００２】
従来、アナログ表示とともにデジタル表示を行なうことができる腕時計において、文字板の裏側に遮光板を備え、その遮光板に表裏を貫通する複数の光透過孔をあけ、その光透過孔にデジタル表示用のＬＥＤ（ｌｉｇｈｔ  ｅｍｉｔｔｉｎｇ  ｄｉｏｄｅ）を配置し、このＬＥＤが点灯したときのみＬＥＤのデジタル表示を文字板を透して視認しえる光透過率で、文字板を形成する技術が開示されている（たとえば、特許文献１参照）。
【０００３】
【特許文献１】特開２００６−３００９１６号公報
【発明の開示】
【発明が解決しようとする課題】
【０００４】
しかしながら、上記に示されるような従来の技術にあっては、遮光板の孔にＬＥＤを配置し、文字板の印刷で光を拡散しているが、十分な拡散が得られなかった。特に、黒系の文字板の場合、ＬＥＤの発光部のみが光って見えて、セグメント表示が不十分となり、点表示となってしまうという問題点があった。
【０００５】
本発明は、上記に鑑みてなされたものであって、遮光板の内部で光を拡散させることにより、ＬＥＤによる良好なセグメント表示を得ることを目的とする。
【課題を解決するための手段】
【０００６】
上述した課題を解決し、目的を達成するために、請求項１にかかる発明は、文字板の裏側にデジタル表示用ＬＥＤを配置するとともに、前記デジタル表示用ＬＥＤを点灯したときのみ前記デジタル表示用ＬＥＤのデジタル表示を前記文字板を透して視認し得る光透過率で前記文字板を形成するＬＥＤ表示機能付き時計であって、前記デジタル表示用ＬＥＤを配置した回路基板上の遮光板に前記デジタル表示用ＬＥＤを封止するように光拡散部材を設けたことを特徴とする。
【０００７】
この請求項１にかかる発明によれば、光拡散部材でデジタル表示用ＬＥＤを封止することにより、デジタル表示用ＬＥＤの光が光拡散部材で拡散されるので、黒系の文字板を使用してもデジタル表示用ＬＥＤの発光部のみが光って見えるような不具合がなくなり、良好な光拡散が得られ、セグメント表示が十分となる。
【０００８】
また、請求項２にかかる発明は、請求項１にかかる発明において、前記光拡散部材は、光拡散物質を含む樹脂で形成されることを特徴とする。
【０００９】
この請求項２にかかる発明によれば、請求項１にかかる発明において、光拡散物資を含む樹脂により形成される光拡散部材でデジタル表示用ＬＥＤを封止することにより、良好な光拡散が得られる。
【発明の効果】
【００１０】
本発明（請求項１）にかかるＬＥＤ表示機能付き時計は、光拡散部材でデジタル表示用ＬＥＤを封止することにより、デジタル表示用ＬＥＤの光が光拡散部材で拡散されるので、黒系の文字板を使用してもデジタル表示用ＬＥＤの発光部のみが光って見えるような不具合がなくなり、良好なセグメント表示が得られるという効果を奏する。
【００１１】
また、本発明（請求項２）にかかるＬＥＤ表示機能付き時計は、光拡散物資を含む樹脂により形成される光拡散部材でデジタル表示用ＬＥＤを封止することにより、良好な光拡散が得られるという効果を奏する。
【発明を実施するための最良の形態】
【００１２】
以下に添付図面を参照して、この発明にかかるＬＥＤ表示機能付き時計の最良な実施の形態を詳細に説明する。
【００１３】
（実施の形態）
図１は、本発明の実施の形態にかかるＬＥＤ表示機能付き時計の断面構成を示す説明図である。この図１において、符号１０は腕時計ケース、符号１１は風防ガラス、符号１２は裏ブタ、符号１３はアナログムーブメント、符号１４は中枠、符号１５は運針軸、符号１６は回路基板、符号１７はＬＥＤ発光部１７ａにより発光するＬＥＤ（ｌｉｇｈｔ  ｅｍｉｔｔｉｎｇ  ｄｉｏｄｅ）、符号２２は遮光板、符号２４は文字板、符号２５は時針、符号２６は分針、符号２７は秒針、符号３０は二次電池、符号３１はコイルボビン、符号３２は二次コイル、符号３３はＬＥＤ駆動回路、符号３５はリューズ、符号３６は巻真、符号４０は光拡散部材である。
【００１４】
図示のＬＥＤ表示機能付き時計は、腕時計ケース１０の表面に風防ガラス１１を固着し、裏側に裏ブタ１２をねじ付けで取り付ける。裏ブタ１２は、非磁性材であるプラスチックや強磁性体でない金属などを用いてつくる。
【００１５】
腕時計ケース１０内には、アナログムーブメント１３を樹脂製の中枠１４で固定して収納する。アナログムーブメント１３には、中心に時針、分針、秒針用の運針軸１５を同心にて立てて設ける。そして、アナログムーブメント１３には、円盤状の回路基板１６を重ね合わせる。回路基板１６には、たとえば縦が１．６ｍｍ以下、横が０．８ｍｍ以下で、厚さ０．８ｍｍ以下の薄型チップのＬＥＤ（デジタル表示用ＬＥＤ）１７を複数取り付ける。
【００１６】
そして、図３に示すように、７つのＬＥＤ１７を用いて１つの７セグメント１８を構成し、数字の８の字を形成するその７セグメント１８を平面的に４つ並べる。回路基板１６には、中心に中心孔ａをあけ、その中心孔ａを挟んで上下に１つずつ設けたＬＥＤ１７を用いてコロン１９を構成し、そのコロン１９を挟んで左右に７セグメント１８を２つずつ振り分けて配置する。
【００１７】
回路基板１６は、それより多少厚い遮光板２２に重ねて取りつけ、その遮光板２２で支持する。遮光板２２は、遮光性の高い黒色などの濃い色の樹脂材料を用いて形成する。遮光板２２には、表面に、時刻数字や時字などの時刻表示を有する文字板２４を重ね合わせる。文字板２４には、たとえば、プラスチックやガラスなどよりなる透明材料の表面に印刷により塗装を施して形成したり、プラスチックやガラスなどよりなる色付きの半透明材料を用いて形成したり、デジタル表示用のＬＥＤ１７を点灯したときのみＬＥＤ１７のデジタル表示を文字板２４を通して視認し得る光透過率を形成する。文字板２４の周縁を腕時計ケース１０の見切り部に当てて、全体を腕時計ケース１０内に収納する。
【００１８】
光拡散部材４０は、デジタル表示用のＬＥＤ１７を配置した回路基板１６上の遮光板２２にデジタル表示用のＬＥＤ１７を封止するように、ガラスビースなどの光拡散物質を含む樹脂で形成される。また、光拡散部材４０は、遮光板２２の厚み内に収まるように形成されている。
【００１９】
このようにして、文字板２４の裏側に遮光板２２を備え、その遮光板２２の裏側に回路基板１６を配置し、回路基板１６の裏側にアナログムーブメント１３を設ける。これにより、文字板２４の裏側に、回路基板１６上のデジタル表示用のＬＥＤ１７を配置する。
【００２０】
運針軸１５は、回路基板１６の中心孔ａから遮光板２２の中心孔（不図示）を通して文字板２４の中心孔（図１において符号ｃで示す）まで貫通して先端を文字板２４の表側に露出する。そして、先端に、時針２５、分針２６、秒針２７を取り付ける。
【００２１】
そのようなアナログムーブメント１３の裏ブタ１２側には、充電回路を設け、コイン型の二次電池３０をアナログムーブメント１３と重ねて配置するとともに、その二次電池３０の周囲を囲むようにコイルボビン３１を環状に巻き付けて二次コイル３２を取り付ける。つまり、図１の例では、二次電池３０と二次コイル３２とを、腕時計ケース１０内において同一平面に配置する。
【００２２】
また、腕時計ケース１０内において、回路基板１６の裏側には、アナログムーブメント１３と同一平面に、ＬＥＤ１７を駆動するＬＥＤ駆動回路３３を取り付ける。このＬＥＤ駆動回路３３は、外部操作に基づきＬＥＤ１７のすべてを点灯するＬＥＤ駆動態様を備える。また、外部操作に基づき、ストップウォッチ、アラーム、タイマーなどの付加時計機能を働かせるＬＥＤ駆動態様を備える。
【００２３】
他方、図示する腕時計は、外部にリューズ３５を取り付ける巻真３６を、腕時計ケース１０を貫通して挿入してアナログムーブメント１３内に入れる。また、図示は省略するが、外側にスイッチを取り付ける操作軸を、同様に腕時計ケース１０を貫通して挿入してアナログムーブメント１３内に入れる。
【００２４】
そして、このようなアナログ腕時計では、通常時は、デジタル表示用のＬＥＤ１７を点灯せず、二次電池３０でアナログムーブメント１３を駆動して針２５〜２７を回転し、文字板２４の時刻表示を指して時刻をアナログ表示する。必要に応じ、適宜外部操作により、ＬＥＤ１７を点灯してそのＬＥＤ１７の光を光拡散部材４０で拡散し導光して文字板２４を透し、時刻、月日、曜日などをデジタル表示する。時刻修正時は、リューズ３５を操作して巻真３６を介してアナログムーブメント１３を動かし、針２５〜２７を回す。
【００２５】
このように、アナログ表示とともにデジタル表示を行なうことができる腕時計において、通常時は、ＬＥＤ１７を点灯せず、時刻をアナログ表示し、文字板２４で隠してＬＥＤ１７が見えないようにし、文字板２４にデジタル表示窓を開けたりする必要をなくしてデザイン上の制約を少なくし、デザイン上の多様性を確保することができる。また、必要に応じて、種々の色で、暗いところでも明るく表示し、表示の見栄えが悪いとか、暗いところでは見えにくいとかの液晶パネル特有の欠点を解消する一方、デジタル表示を文字板２４いっぱいに大きく見やすく表示することができる。
【００２６】
回路基板１６の中心孔ａを挟んで、ＬＥＤ１７を用いて構成したコロン１９を設け、そのコロン１９を挟んで、ＬＥＤ１７を用いて構成した７セグメント１８を２つずつ振り分けて配置するので、文字板２４に近い大きさの回路基板１６を用い、その回路基板１６いっぱいに７セグメント１８を配置することにより文字板２４を有効に利用してデジタル表示を大きく見やすくすることができる。
【００２７】
一方、図示例では、光拡散部材４０を拡散されながら透過したＬＥＤ１７の光を、文字板２４の裏面に当て、文字板２４を透過するので、光拡散部材４０で表示文字の輪郭を明確に区画して、デジタル表示を明瞭かつきれいに行なうことができる。また、ＬＥＤ１７の光を光拡散部材４０内で拡散するので、デジタル表示を部分的に明暗のムラを生じることなく、全体を均一かつきれいに表示することができる。
【００２８】
また、ＬＥＤ１７ごとに光拡散部材４０を封止するので、ＬＥＤ１７の下図を最小限化でき、駆動回路構成が簡素化される。また、ＬＥＤ１７ごとに光拡散部材４０を設けるので、ＬＥＤ１７の下図を少なくとしても、そのＬＥＤ１７の光を良好に拡散することができ、よって十分なデジタル表示が実現する。
【００２９】
また、図示例では、ＬＥＤ駆動回路３３に、外部操作に基づきＬＥＤ１７のすべてを点灯するＬＥＤ駆動態様を備えるので、たとえば暗いところで鍵穴などがみえにくいときなど、明かりが必要なところでは、外部操作によりＬＥＤ駆動回路３３を働かせてＬＥＤ１７のすべてを点灯することができる。そして、二次電池３０を電源として風防ガラス１１を透して外部を照射し、時刻などの表示するＬＥＤ１７をそのまま照明用としても利用することで、別途照明光源を備えることにより大型化したり見栄えを悪くしたりすることなく、まわりを照らすことができる。
【００３０】
さらに、図示例では、ＬＥＤ駆動回路３３に、不図示のスイッチの外部操作に基づき、ストップウォッチ、アラーム、タイマーなどの付加時計機能を働かせるＬＥＤ駆動態様を備えるので、アナログ表示とともにデジタル表示を行なうことができる腕時計において、さらに機能アップして付加機能を高めることができる。
【００３１】
不図示のスイッチをさらにもう一度外部操作すると、ＬＥＤ１７を消灯する。もちろん、残照時間を設定してスイッチ操作後に一定時間が経過して後、ＬＥＤ１７を自動的に消灯するようにしてもよい。また、１つのスイッチではなく、複数のスイッチを設けてそれらのスイッチを操作して表示を切り換えたり、点灯／消灯したりしてもよい。
【００３２】
ところで、このような腕時計では、使用により二次電池３０の電池容量が低下したときは、不図示の充電器上に載せて電磁誘電方式を用いて充電する。つまり、ＡＣコードを介して供給されるＡＣ電流を流して充電器の一次コイルで交流磁界を発生させ、この交流磁界により二次コイル３２に交流電流を発生させ、整流回路で整流して直流電流として二次電池３０を充電する。
【００３３】
電源として二次電池３０を使用するので、ＬＥＤ１７を多用することにより電流がなくなっても電池交換をすることなく充電するだけでよいから、電池寿命を気にする必要がなく、かつ電池交換の煩わしさや費用を気にすることなく、照明機能を存分に使うことができる。これにより、液晶パネルに比べて消費電力の大きいＬＥＤ１７を用いてデジタル表示を行なうことによる欠点を解消することができる。
【００３４】
なお、図示例では、電磁誘導方式を用いて充電回路の二次電池３０を充電したが、二次電池３０を太陽電池や、直接電源端子に接続して充電するようにしてもよい。二次コイル３２を備え、電磁誘導方式を用いて二次電池３０を充電可能にすると、デザイン上の制約を受けないとともに、防水構造を複雑にすることなく、簡単かつ確実な充電を可能にすることができる。
【００３５】
以上説明した実施の形態によれば、特に、光拡散物資を含む樹脂により形成される光拡散部材４０でＬＥＤ１７を封止することにより、良好な光拡散が得られる。すなわち、ＬＥＤ１７の光が光拡散部材４０で拡散されるので、黒系の文字板を使用してもＬＥＤ１７の発光部のみが光って見えるような不具合がなくなり、セグメント表示が十分となる。また、光拡散部材４０は、遮光板２２の厚み内で十分効果があり、しかも簡単に実現可能なため、腕時計などのような小型薄型を要求される製品に最適であり、ＬＥＤ表示機能付き時計の表示品質が向上する。
【産業上の利用可能性】
【００３６】
以上のように、本発明にかかるＬＥＤ表示機能付き時計は、文字板の裏側にデジタル表示用ＬＥＤを配置するとともに、デジタル表示用ＬＥＤを点灯したときのみ前記デジタル表示用ＬＥＤのデジタル表文字板を透して視認し得る光透過率で文字板を形成するＬＥＤ表示機能付きの腕時計や小型薄型時計などに有用であり、特に、デジタル表示用ＬＥＤを配置した回路基板上の遮光板にデジタル表示用ＬＥＤを封止するように光拡散部材を設けたＬＥＤ表示機能付き時計などに適している。
【図面の簡単な説明】
【００３７】
【図１】本発明の実施の形態にかかるＬＥＤ表示機能付き時計の断面構成を示す説明図である。
【図２】図１におけるＬＥＤおよび光拡散部材の構成を示す拡大断面図である。
【図３】本発明の実施の形態にかかるＬＥＤ表示機能付き時計のセグメント構成を示す説明図である。
【図４】本発明の実施の形態にかかるＬＥＤからの光を光拡散部材で拡散する様子を示す説明図である。
【図５】従来のＬＥＤ表示機能付き時計におけるＬＥＤの発光状態を示す説明図である。
【符号の説明】
【００３８】
１０  腕時計ケース
１６  回路基板
１７  ＬＥＤ
２２  遮光板
２４  文字板
４０  光拡散部材
【図１】
2008309760.tif 000003
【図２】
2008309760.tif 000004
【図３】
2008309760.tif 000005
【図４】
2008309760.tif 000006
【図５】
2008309760.tif 000007